(57)【要約】【課題】  無線ＩＤタグを利用し、著作権保護されたコンテンツの販売システムを提供する。【解決手段】  曲データであるコンテンツの販売に利用されるSONGKEY１には無線ＩＤタグ２が内蔵されており、商品シリアル番号、曲ＩＤ、曲管理サーバーＵＲＬなどが記録されいる。SONGKEY１を購入したユーザーがプレーヤー１０にSONGKEY１を近付けると、記録されている情報が読み取られ、曲管理サーバー３０にその曲ＩＤの曲データのダウンロードリクエストが送られる。これに応じて、曲管理サーバー３０からその曲データが転送されＨＤＤ１９に保存され、無線ＩＤタグ２には、ダウンロード済みであることとプレーヤー１０の機器ＩＤが記録される。曲管理サーバー３０にも、曲ＩＤ、ダウンロードした無線ＩＤタグ２のシリアル番号、プレーヤー１０の機器ＩＤが記録される。【選択図】  図１
2005242744.tif 000002
【特許請求の範囲】
【請求項１】
無線ＩＤタグを備えた記憶媒体であって、
前記無線ＩＤタグは、書き換え禁止領域と書き換え可能領域を有する記憶領域を有し、
前記書き換え禁止領域には、その記憶媒体に固有の識別番号と、提供するコンテンツを識別するコンテンツ識別番号と、コンテンツを提供するサーバー装置を指定する情報とが記憶されており、
前記書き換え可能領域には、対価が支払い済みであることを示す情報と、そのコンテンツのコンテンツ再生装置へのダウンロードが終了していることを示す情報とが記憶されるようになされており、
前記対価が支払い済みであることを示す情報は、その記憶媒体に対する対価が支払われたときに、店舗にて書き込まれるものであり、
前記コンテンツ再生装置へのダウンロードが終了していることを示す情報は、当該コンテンツが、前記コンテンツを提供するサーバー装置から前記コンテンツ再生装置にダウンロードされ、コンテンツ再生装置内に保存されたときに書き込まれるものであることを特徴とするコンテンツ再生管理データを記憶した記憶媒体。
【請求項２】
前記無線ＩＤタグの書き換え可能領域には、前記コンテンツ再生装置に固有の機器識別情報が記憶されるようになされており、該コンテンツ再生装置の機器識別情報は、当該コンテンツが前記サーバー装置から前記コンテンツ再生装置にダウンロードされて保存されたときに書き込まれるものであることを特徴とする請求項１記載のコンテンツ再生管理データを記憶した記憶媒体。
【請求項３】
前記無線ＩＤタグの書き換え禁止領域には、そのコンテンツの試聴回数を制限するか否かを示す情報が記憶されており、前記無線ＩＤタグの書き換え可能領域には、残り試聴回数を記憶することができるようになされていることを特徴とする請求項１又は２に記載のコンテンツ再生管理データを記憶した記憶媒体。
【請求項４】
コンテンツを管理しているサーバー装置からコンテンツをダウンロードして再生することができるコンテンツ再生装置であって、
記憶媒体に備えられている無線ＩＤタグに記憶されている情報を読み取る無線ＩＤタグリーダーと、
前記無線ＩＤタグに情報を書き込む無線ＩＤタグライターと、
前記無線ＩＤタグに対価が支払い済みであることを示す情報が記憶されており、かつ、そのコンテンツのダウンロードが終了していることを示す情報が記憶されていないときに、前記無線ＩＤタグに記憶されている前記サーバー装置を指定する情報を読み取って前記サーバー装置にアクセスし、該サーバー装置からその無線ＩＤタグに対応するコンテンツをダウンロードして保存する手段と、
前記コンテンツの保存が終了した後に、前記無線ＩＤタグにコンテンツのダウンロードが終了していることを示す情報を書き込む手段と
を有することを特徴とするコンテンツ再生装置。
【請求項５】
前記書き込む手段は、前記コンテンツのダウンロードが終了していることを示す情報とともに、自機に固有の機器識別情報も前記無線ＩＤタグに書き込むようになされており、
前記無線ＩＤタグに対価が支払い済みであることを示す情報及びそのコンテンツのダウンロードが終了していることを示す情報が記憶されているときであっても、前記無線ＩＤタグに記憶されているコンテンツ再生装置の機器識別情報と自機の機器識別情報が一致しており、かつ、自機にそのコンテンツが保存されていないときには、前記サーバー装置からそのコンテンツをダウンロードして保存する手段を有することを特徴とする請求項４記載のコンテンツ再生装置。
【請求項６】
コンテンツを管理しているサーバー装置からストリーミング配信されるコンテンツを再生することができるコンテンツ再生装置であって、
記憶媒体に備えられている無線ＩＤタグに記憶されている情報を読み取る無線ＩＤタグリーダーと、
前記無線ＩＤタグに対価が支払い済みであることを示す情報が記憶されているときに、前記無線ＩＤタグに記憶されている前記サーバー装置を指定する情報を読み取って前記サーバー装置にアクセスし、該サーバー装置からその無線ＩＤタグに対応するコンテンツのストリーミング配信を受ける手段と
を有することを特徴とするコンテンツ再生装置。
【請求項７】
前記無線ＩＤタグに情報を書き込む無線ＩＤタグライターと、
前記無線ＩＤタグにコンテンツの試聴回数を制限する旨の情報が記憶されているときに、前記無線ＩＤタグに記憶されている残り試聴回数の情報を読み取って、該残り試聴回数の値が０でないときに、前記サーバー装置からその無線ＩＤタグに対応するコンテンツのストリーミング配信を受ける手段と、
該コンテンツの再生時間が所定時間以上となったときに、前記残り試聴回数の値を１だけ少ない値として、前記無線ＩＤタグに書き込む手段と
を有することを特徴とする請求項６記載のコンテンツ再生装置。
【請求項８】
コンテンツを管理し、記憶媒体に記憶されている情報を読み取ったコンテンツ再生装置からのリクエストに応じて当該コンテンツを送信するサーバー装置であって、
前記コンテンツ再生装置にコンテンツをダウンロードさせたときに、前記記憶媒体に固有の識別番号、その記憶媒体に対応するコンテンツのコンテンツ識別番号及びそのコンテンツ再生装置に固有の機器識別情報を関連づけて記憶するデータベースを備え、
前記コンテンツ再生装置からコンテンツダウンロードリクエストを受信したときに、前記データベースを参照して、その記憶媒体に関する最初のダウンロードであるときに、そのコンテンツをダウンロードさせ、その記憶媒体に関する最初のダウンロードでないときであっても、そのコンテンツ再生装置の機器識別情報が前記データベースに記憶されている機器識別情報と一致しているときには、そのコンテンツをダウンロードさせる手段と
を有することを特徴とするサーバー装置。
【発明の詳細な説明】
【技術分野】
【０００１】
本発明は、曲データなどのコンテンツの販売に用いることのできる記憶媒体、該記憶媒体に対応するコンテンツを再生するコンテンツ再生装置（プレーヤー）及びコンテンツ再生装置にコンテンツを配信するサーバー装置に関する。
【背景技術】
【０００２】
近年、非接触ＩＣタグ（「無線ＩＤタグ」、「無線ＩＣタグ」又は「ＲＦＩＤ（Radio Frequency ID(Identification)）タグ」とも呼ばれる。以下、「無線ＩＤタグ」と呼ぶ。）が注目をあびている。
無線ＩＤタグは、メモリ、ロジック回路、送受信回路などを有するＩＣチップと、アンテナから構成されており、専用の無線ＩＤタグリーダー／ライターからの要求に応じて、内蔵メモリからデータを読み出したり、外部からのデータを内蔵メモリに書き込んだりすることができるものである。
この無線ＩＤタグには、データの読み出しだけが可能な読み出し専用型、フラッシュメモリやEEPROM（Electronically Erasable and Programmable Read Only Memory）、FeRAM（Ferroelectric Random Access Memory：強誘電体メモリ）などを内蔵し、データの書き込みも可能な書き込み可能型、マイクロプロセッサを内蔵し、暗号化などの高度な処理を行うことができるマイクロプロセッサ内蔵型などの各種のものがある。
また、電源を内蔵するものと内蔵しないものがあるが、現在は、電源を内蔵しないものが主流である。これは、前記リーダー／ライターからの電波により電磁誘導などにより発生する起電力を電源として動作するものである。
【０００３】
このような無線ＩＤタグをコンパクトディスク（ＣＤ）などの記録媒体に付加して、記録媒体の不適法な譲渡や貸与を抑制しつつ、販売業者などが投下資本を適切に回収することが可能になる電子化情報管理装置が提案されている（特許文献１）。
【特許文献１】特開２００３−１３２６２３号公報
【発明の開示】
【発明が解決しようとする課題】
【０００４】
上記提案されている電子化情報処理管理装置によれば、ＣＤ（Compact Disc；コンパクトディスク）やＤＶＤ（Digital Versatile Disk：デジタル多用途ディスク）などの記録媒体に大きな改変を加えることなく記録媒体の不適法な譲渡や貸与を抑止しつつ、販売業者などが投下資本を適切に回収することが可能となる。
しかしながら、提案されている電子化情報処理管理装置は、不正コピーの使用抑制が主目的とされているため、再生禁止という制御しか行うことができなかった。
また、ＣＤなどの記録媒体に無線ＩＤタグが付加されているため、最初に曲を聴くためには、そのＣＤディスクが必要であった。
【０００５】
そこで本発明は、無線ＩＤタグなどの非接触ＩＣタグをデジタルコンテンツの販売に利用して、従来の物理メディアよりも便利であり、かつ、著作権保護されたコンテンツの再生を保証する、コンテンツ再生管理用データを記憶した記憶媒体、コンテンツ再生装置及びサーバー装置を提供することを目的としている。
【課題を解決するための手段】
【０００６】
上記目的を達成するために、本発明のコンテンツ再生管理データを記憶した記憶媒体は、無線ＩＤタグを備えた記憶媒体であって、前記無線ＩＤタグは、書き換え禁止領域と書き換え可能領域を有する記憶領域を有し、前記書き換え禁止領域には、その記憶媒体に固有の識別番号と、提供するコンテンツを識別するコンテンツ識別番号と、コンテンツを提供するサーバー装置を指定する情報とが記憶されており、前記書き換え可能領域には、対価が支払い済みであることを示す情報と、そのコンテンツのコンテンツ再生装置へのダウンロードが終了していることを示す情報とが記憶されるようになされており、前記対価が支払い済みであることを示す情報は、その記憶媒体に対する対価が支払われたときに、店舗にて書き込まれるものであり、前記コンテンツ再生装置へのダウンロードが終了していることを示す情報は、当該コンテンツが、前記コンテンツを提供するサーバー装置から前記コンテンツ再生装置にダウンロードされ、コンテンツ再生装置内に保存されたときに書き込まれるものとされているものである。
また、前記無線ＩＤタグの書き換え可能領域には、前記コンテンツ再生装置に固有の機器識別情報が記憶されるようになされており、該コンテンツ再生装置の機器識別情報は、当該コンテンツが前記サーバー装置から前記コンテンツ再生装置にダウンロードされて保存されたときに書き込まれるようになされているものである。
さらに、前記無線ＩＤタグの書き換え禁止領域には、そのコンテンツの試聴回数を制限するか否かを示す情報が記憶されており、前記無線ＩＤタグの書き換え可能領域には、残り試聴回数を記憶することができるようになされているものである。
【０００７】
さらにまた、本発明のコンテンツ再生装置は、コンテンツを管理しているサーバー装置からコンテンツをダウンロードして再生することができるコンテンツ再生装置であって、記憶媒体に備えられている無線ＩＤタグに記憶されている情報を読み取る無線ＩＤタグリーダーと、前記無線ＩＤタグに情報を書き込む無線ＩＤタグライターと、前記無線ＩＤタグに対価が支払い済みであることを示す情報が記憶されており、かつ、そのコンテンツのダウンロードが終了していることを示す情報が記憶されていないときに、前記無線ＩＤタグに記憶されている前記サーバー装置を指定する情報を読み取って前記サーバー装置にアクセスし、該サーバー装置からその無線ＩＤタグに対応するコンテンツをダウンロードして保存する手段と、前記コンテンツの保存が終了した後に、前記無線ＩＤタグにコンテンツのダウンロードが終了していることを示す情報を書き込む手段とを有するものである。
さらにまた、前記書き込む手段は、前記コンテンツのダウンロードが終了していることを示す情報とともに、自機に固有の機器識別情報も前記無線ＩＤタグに書き込むようになされており、前記無線ＩＤタグに対価が支払い済みであることを示す情報及びそのコンテンツのダウンロードが終了していることを示す情報が記憶されているときであっても、前記無線ＩＤタグに記憶されているコンテンツ再生装置の機器識別情報と自機の機器識別情報が一致しており、かつ、自機にそのコンテンツが保存されていないときには、前記サーバー装置からそのコンテンツをダウンロードして保存する手段を有するものである。
【０００８】
さらにまた、本発明の他のコンテンツ再生装置は、コンテンツを管理しているサーバー装置からストリーミング配信されるコンテンツを再生することができるコンテンツ再生装置であって、記憶媒体に備えられている無線ＩＤタグに記憶されている情報を読み取る無線ＩＤタグリーダーと、前記無線ＩＤタグに対価が支払い済みであることを示す情報が記憶されているときに、前記無線ＩＤタグに記憶されている前記サーバー装置を指定する情報を読み取って前記サーバー装置にアクセスし、該サーバー装置からその無線ＩＤタグに対応するコンテンツのストリーミング配信を受ける手段とを有するものである。
さらにまた、前記無線ＩＤタグに情報を書き込む無線ＩＤタグライターと、前記無線ＩＤタグにコンテンツの試聴回数を制限する旨の情報が記憶されているときに、前記無線ＩＤタグに記憶されている残り試聴回数の情報を読み取って、該残り試聴回数の値が０でないときに、前記サーバー装置からその無線ＩＤタグに対応するコンテンツのストリーミング配信を受ける手段と、該コンテンツの再生時間が所定時間以上となったときに、前記残り試聴回数の値を１だけ少ない値として、前記無線ＩＤタグに書き込む手段とを有するものである。
【０００９】
さらにまた、本発明のサーバー装置は、コンテンツを管理し、記憶媒体に記憶されている情報を読み取ったコンテンツ再生装置からのリクエストに応じて当該コンテンツを送信するサーバー装置であって、前記コンテンツ再生装置にコンテンツをダウンロードさせたときに、前記記憶媒体に固有の識別番号、その記憶媒体に対応するコンテンツのコンテンツ識別番号及びそのコンテンツ再生装置に固有の機器識別情報を関連づけて記憶するデータベースを備え、前記コンテンツ再生装置からコンテンツダウンロードリクエストを受信したときに、前記データベースを参照して、その記憶媒体に関する最初のダウンロードであるときに、そのコンテンツをダウンロードさせ、その記憶媒体に関する最初のダウンロードでないときであっても、そのコンテンツ再生装置の機器識別情報が前記データベースに記憶されている機器識別情報と一致しているときには、そのコンテンツをダウンロードさせる手段とを有するものである。
【発明の効果】
【００１０】
本発明のコンテンツ再生管理用データを記憶した記憶媒体、コンテンツ再生装置及びサーバー装置によれば、ＣＤやＤＶＤといったコンテンツ自体を記録した記録媒体がなくても、コンテンツの再生が可能となる。
また、個々のコンテンツ再生装置対応に、適切な著作権保護のもとに、曲の再生や保存のコントロールを行うことができる。
さらに、コンテンツ再生管理用データを記憶した記憶媒体のみを販売すればよいので、ＣＤやＤＶＤのようにかさばらず、しかも軽いので持ち運びが容易である。
【発明を実施するための最良の形態】
【００１１】
本発明のコンテンツ再生管理用データを記憶した記憶媒体、コンテンツ再生装置（プレーヤー）及びサーバー装置からなるコンテンツ再生システムは、音楽コンテンツ、映像コンテンツなどコンテンツの種類を問わず各種のコンテンツに適用することができるが、以下では、音楽コンテンツ（曲データ）に適用した実施の形態を例にとって説明する。
【００１２】
図１は、本発明の記憶媒体、プレーヤー及びサーバー装置からなる曲再生システムの一構成例を示す機能ブロック図である。
この図において、１は本発明のコンテンツ再生管理用データを記憶した記憶媒体である。後述するように、この記憶媒体は曲データを販売するために用いられる音楽販売用記憶媒体であり、以下、「SONGKEY」と呼ぶ。図示するように、SONGKEY１は、無線ＩＤタグ２を内蔵しており、この無線ＩＤタグ２に後述する各種のコンテンツ再生管理用データが記憶されている。この無線ＩＤタグ２は、上述した書き換え可能なタイプのものである。また、電源については、内蔵しているタイプ、内蔵していないタイプのいずれでもよいが、電源を内蔵しないタイプの方が好ましい。また、無線ＩＤタグ２は、通常、１cm角程度の大きさであり、SONGKEY１はそれを内蔵することのできるサイズであればよく、例えば、クレジットカードなどの大きさとすることができる。さらに、SONGKEY１の形状もカード状に限らず任意のものとすることができる。ここでは、例えば、ガム１枚程度の大きさのプラスチック製のカードとされているものとする。
【００１３】
１０は、前記SONGKEY１を用いて音楽を再生することができるコンテンツ再生装置（以下、「SONGKEYプレーヤー」と呼ぶ。）である。このSONGKEYプレーヤー１０において、１１はSONGKEYプレーヤー１０の動作を制御するマイクロコンピュータなどからなる中央制御部、１２は制御プログラムや各種データを記憶するメモリ、１３はキー入力部、１４は表示部、１５は前記SONGKEY１に内蔵されている無線ＩＤタグ２からのデータを受信する無線ＩＤタグリーダー、１６は前記無線ＩＤタグ２に対してデータを書き込む無線ＩＤタグライター、１７は後述する曲管理サーバー３０との間のデータのやり取りを暗号化して行うための暗号化・復号化処理部、１８はインターネットなどのネットワークに接続するためのネットワーク通信部、１９はダウンロードされた曲データなどを格納するハードディスク装置などの大容量記憶装置（ＨＤＤ）、２０はオーディオデータ生成部、２１は該オーディオデータ生成部２１からのオーディオデータをアナログ信号に変換するＤ／Ａ変換器、２２は増幅器とスピーカなどからなるオーディオ信号出力部である。なお、このSONGKEYプレーヤー１０は例えば自宅などに設置されるものである（自宅SONGKEYプレーヤー）。
また、３０は、インターネットに接続されて設けられた曲管理サーバーである。この曲管理サーバー３０には、複数の音楽コンテンツが蓄積された楽曲データベースが接続されており、クライアント（コンテンツ再生装置）からリクエストのあった楽曲の曲データをクライアントにダウンロードさせたり、あるいは、ストリーミング配信する。
【００１４】
後述するように、SONGKEY１を購入してきたユーザーがSONGKEYプレーヤー１０の無線ＩＤタグリーダー１５でSONGKEY１のデータを読み取らせると、そのSONGKEY１に対応する曲データが前記曲管理サーバー３０からSONGKEYプレーヤー１０にダウンロードされハードディスク装置１９に格納される。これにより、ユーザーはその曲を任意に再生することが可能となる。
【００１５】
図２は、持ち運びが可能なポータブルSONGKEYプレーヤー４０を有する曲再生システムの機能ブロック図である。
この図に示すように、ポータブルSONGKEYプレーヤー４０は、ポータブルSONGKEYプレーヤー４０の動作を制御するマイクロコンピュータなどからなる中央制御部４１、制御プログラムや各種データを記憶するメモリ４２、キー入力部４３、表示部４４、SONGKEY１に内蔵されている無線ＩＤタグ２からのデータを受信する無線ＩＤタグリーダー４５、前記無線ＩＤタグ２に対してデータを書き込む無線ＩＤタグライター４６、暗号化・復号化処理部４７、無線ＬＡＮ通信部４８、オーディオデータ生成部４９、Ｄ／Ａ変換器５０及び増幅器とヘッドフォンなどからなるオーディオ信号出力部５１を有している。前記SONGKEYプレーヤー１０と比較すると、ポータブルSONGKEYプレーヤー４０には、ダウンロードした曲データを格納するハードディスク装置が設けられておらず、また、インターネットに接続するための手段として無線アクセスポイント５２に接続することのできる無線ＬＡＮ通信部４８を有している点で異なっている。
後述するように、ポータブルSONGKEYプレーヤー４０を用いる場合には、無線アクセスポイント５２を介して、前記曲管理サーバー３０からSONGKEY１に対応する曲データのストリーミング配信を受けて、その曲を再生することができる。
【００１６】
図３は、前記SONGKEY１に内蔵されている無線ＩＤタグ２中のメモリに記憶される情報を示す図である。前述のように、この無線ＩＤタグ２には、フラッシュメモリ、EEPROM又はFeRAMなどの書き換え可能な不揮発性メモリが搭載されており、該メモリには、書き換え禁止エリア３と書き換え可能エリア４とが設けられている。
そして、書き換え禁止エリア３には、商品シリアル番号、曲ＩＤ、曲管理サーバＵＲＬ、店頭試聴可否フラグ、試聴回数制限フラグの各情報が記憶されており、書き換え可能エリア４には、残り試聴回数、支払い済フラグ、ダウンロード済みフラグ及びダウンロード先機器ＩＤなどの情報が記憶される。
【００１７】
「商品シリアル番号」は、個々の記憶媒体１に固有の識別番号（シリアル番号）であり、この情報を読めばSONGKEYであることがわかるだけでなく、シリアル番号でひとつひとつのSONGKEYを区別することができる。同じ曲のSONGKEYでも、２つあれば異なるシリアル番号が付されている。すなわち、通常商品に付されているバーコードのように商品の種別を識別することができるだけではなく、個々の商品を識別することができるように情報量が大きいものとされている。
「曲ＩＤ」は、曲１曲ずつに割り振られた曲識別番号であり、この番号から曲を特定することができる。
「曲管理サーバーＵＲＬ」は、曲データをダウンロードしたり、曲データのストリーム配信を受けるためにアクセスする曲管理サーバー３０のＵＲＬ（Uniform Resource Locator）である。
「店頭試聴可否フラグ」は、SONGKEY１を購入するときに、店頭試聴プレーヤーでその曲を再生することを許可する場合にセットされているフラグである。
「試聴回数制限フラグ」は、SONGKEY購入後に、曲データをストリーミング配信させる回数に制限を設ける場合にセットされているフラグである。
以上の各情報が、前記書き換え禁止エリア３に記憶されている。
【００１８】
書き換え可能エリア４には、次の情報が記憶される。
「残り試聴回数」は、試聴回数制限がある場合にあと何回試聴することができるかを示す情報であり、１回試聴するごとに１ずつ減少されるようになされている。
「支払い済みフラグ」は、購入時に店頭レジによりセットされるフラグであり、正規に購入されたことを示す情報である。
「ダウンロード済みフラグ」は、曲データを曲管理サーバーから正常にダウンロードし終わったときに、SONGKEYプレーヤーによってセットされるフラグである。
「ダウンロード先機器ＩＤ」は、曲データのダウンロード先の機器（SONGKEYプレーヤー）に固有の識別番号（機器ＩＤ）であり、曲データをダウンロードした後に、該SONGKEYプレーヤーによりその機器ＩＤが書き込まれる。この機器ＩＤは、同一機種のものでも区別することが可能なように個々のSONGKEYプレーヤーに割り当てられたシリアル番号である。
【００１９】
このようなSONGKEY１を用いる曲再生システムにおいては、もはやＣＤ販売店でＣＤやＤＶＤなどの記録メディア自体ではなく、例えばプラスチックカード製とされたSONGKEY１が販売されることとなる。前述のように、SONGKEY１には、前述した各種データが書き込まれた無線ＩＤタグ２が埋め込まれており、店内には、前記無線ＩＤタグ２と通信する無線ＩＤタグリーダー／ライターを備えたSONGKEY店頭試聴プレーヤーが設置されており、また、レジスター（店頭レジ）にも無線ＩＤタグリーダー／ライターが備えられている。SONGKEY店頭試聴プレーヤーは、前述した自宅SONGKEYプレーヤー１０と同様の構成とされている。
【００２０】
図４は、販売店においてSONGKEYを試聴し、購入するときのシーケンスを説明する図であり、（ａ）はユーザーが試聴を行うときのシーケンス、（ｂ）は購入時にレジにて実行される処理のシーケンスを示している。
図４の（ａ）において、ユーザーが試聴したいSONGKEY１を手に取り、店内に備え付けられているSONGKEY店頭試聴プレーヤーに近付けると、SONGKEY読み取りシーケンスが開始され（ステップＳ１）、SONGKEY１に搭載された無線ＩＤタグ２の前記書き換え禁止エリア３に書き込まれている「店頭試聴可否フラグ」が読み取られる（ステップＳ２）。店頭試聴可否フラグがセットされておらず、試聴不可とされているときは、ステップＳ４に進み、SONGKEY店頭試聴プレーヤーの表示部に試聴不可とされている旨の表示が行われる（ステップＳ５）。
店頭試聴可否フラグがセットされているときは、前記書き換え禁止エリア３に記憶されている曲ＩＤとその曲をダウンロードすることができる曲管理サーバーのＵＲＬを読み取る（ステップＳ５，Ｓ６）。
そして、ステップＳ６でＵＲＬを読み取った曲管理サーバー３０へのアクセスを開始する（ステップＳ７）。
【００２１】
曲管理サーバー３０へアクセスすると、まず、そのSONGKEY店頭試聴プレーヤーが設置されている店舗を識別する店舗ＩＤを曲管理サーバー３０に送信する（ステップＳ８）。
曲管理サーバー３０では、SONGKEY店頭試聴プレーヤーからの店舗ＩＤを受信すると、相互に認証処理を行い（曲管理サーバ３０のステップＳ２１及びSONGKEY店頭試聴プレーヤーのステップＳ９）、正規に登録された店舗であるか否かを判定する（ステップＳ２２）。その結果、認証に失敗すると、認証に失敗したことをそのSONGKEY店頭試聴プレーヤーに送信する（ステップＳ２３）。正規に登録された店舗からのアクセスであることが確認され、認証に成功すると（ステップＳ２２がＹＥＳ）、暗号化して送信する曲データを復号するための暗号解読キーを前記SONGKEY店頭試聴プレーヤーに対して送信する（ステップＳ２４）。
SONGKEY店頭試聴プレーヤーは、曲管理サーバー３０から暗号解読キーを受信すると、前記ステップＳ５で読み取った曲ＩＤを曲管理サーバー３０に送信し（ステップＳ１０）、曲管理サーバー３０は受信した曲ＩＤに対応する楽曲の曲データを暗号化して、当該SONGKEY店頭試聴プレーヤーに対してストリーミング配信する（ステップＳ２５）。
店頭試聴プレーヤーは、ストリーミング配信された曲データを受信し、予め受信していた暗号解読キーを用いて復号し（ステップＳ１１）、その曲を再生する（ステップＳ１２）。
このようにして、ユーザーは、SONGKEY店頭試聴プレーヤーにSONGKEY１を近付けるだけで、その曲を試聴することができる。
【００２２】
ユーザーがその曲を気に入り、購入したい場合には、そのSONGKEY１をレジに持っていく。図４の（ｂ）は、購入時のシーケンスを示すフローチャートである。
店員がSONGKEYをレジスターに近付けると、そのSONGKEY１の無線ＩＤタグ２の書き換え禁止エリア３に記憶されている「商品シリアル番号」のデータが、レジスターに設けられている無線ＩＤタグリーダーにより読み取られる（ステップＳ３１）。これにより、レジにその金額が表示され、顧客はその金額を支払う（ステップＳ３２）。支払いを確認すると、店員は、レジスターに設けられている無線ＩＤタグライターを用いて、そのSONGKEY１の無線ＩＤタグの書き換え可能エリア４における「支払い済みフラグ」をセットする書き込みを行う（ステップＳ３３）。
店舗の出入り口には、万引き防止用のSONGKEYリーダーが備え付けられており、顧客がその横を通り過ぎるときにSONGKEYの前記支払い済みフラグの内容を読み取り、支払いが済んでいないものがあれば警告音を鳴らすこともできる。
【００２３】
次に、SONGKEY１を購入したユーザーが帰宅し、購入した楽曲を再生するときのシーケンスについて、図５を参照して説明する。
SONGKEYを購入したユーザーが家に帰り、部屋に備え付けてあるSONGKEYプレーヤー１０（図１）の電源を投入し、今購入したばかりのSONGKEY１をSONGKEYプレーヤー１０に近付けると、SONGKEY読み取りシーケンスが開始される（ステップＳ４１）。SONGKEYプレーヤー１０の無線ＩＤタグリーダー１５により、まず、SONGKEY１の無線ＩＤタグ２に記憶されている「支払い済みフラグ」が読み取られる（ステップＳ４２）。その結果、支払い済みでないときは、取り扱い不可を示す表示がSONGKEYプレーヤー１０の表示部１４に表示され、処理は終了する（ステップＳ５６）。
支払い済みフラグがセットされているときは、前記「ダウンロード済みフラグ」を読み取り、そのSONGKEY１の楽曲の曲データが既にダウンロードされてＨＤＤ１９に格納されているか否かを判定する（ステップＳ４４）。
【００２４】
その曲がダウンロード済みでないとき（ステップＳ４４がＮＯ）は、SONGKEY１に記憶されている「曲ＩＤ」、「商品シリアル番号」、「曲管理サーバーＵＲＬ」を読み取り（ステップＳ４５，Ｓ４６）、ネットワーク通信部１８を介して曲管理サーバー３０へのアクセスを開始する（ステップＳ４７）。
まず、曲管理サーバー３０との間で相互に認証処理が行われる（ステップＳ４８及び曲管理サーバー３０のステップＳ７１）。そして、認証が終了すると、その機器ＩＤ、前記ステップＳ４５で読み取ったそのSONGKEY１の曲ＩＤ、及び、SONGKEY１の商品シリアル番号を曲管理サーバー３０に送信する（ステップＳ４９）。
【００２５】
曲管理サーバー３０は、該送られてきた情報に基づいてSONGKEYごとのダウンロード履歴などを記憶したデータベースを参照して、そのSONGKEYが正規のものであり、そのSONGKEYに対応する曲データがまだダウンロードされていないことを確認すると（ステップＳ７２がＹＥＳ）、自宅SONGKEYプレーヤー１０から送られてくる曲データダウンロードリクエスト（ステップＳ５０）に対して、ダウンロードＯＫの応答と暗号解読キーを送信し（ステップＳ７３）、続けて、リクエストされた曲データを送信する（ステップＳ７４）。そして、送信が完了したら、SONGKEY１の商品シリアル番号とその曲ＩＤと前記SONGKEYプレーヤー１０の機器ＩＤとを関連づけて前記データベースに登録する（ステップＳ７５，Ｓ７６）。
なお、前記ステップＳ７２でＮＯと判定された場合、すなわち、通常はあり得ないことであるが、新品のSONGKEYを購入したにもかかわらず曲管理サーバー３０にそのSONGKEYについて曲データがダウンロード済みであることが記録されているときには、曲管理サーバー側に異常があるとして、サポート窓口に電話をかけることを促すメッセージをSONGKEYプレーヤー１０の表示部１４に表示させるようにする（ステップＳ７７）。
【００２６】
前記SONGKEYプレーヤー１０は、前記ステップＳ７３で送られてきた暗号解読キーを用いて送られてきた曲データを復号し（ステップＳ５１）、該曲データをＨＤＤ１９に保存する（ステップＳ５２）。そして、保存が完了したら、前記無線ＩＤタグライター１６を用いて、前記SONGKEY１の無線ＩＤタグ２における書き換え可能エリア４の「ダウンロード済みフラグ」をセットする（ステップＳ５３，Ｓ５４）とともに、「ダウンロード先機器ＩＤ」に自機の機器ＩＤ（シリアル番号）を書き込む（ステップＳ５５）。
これにより、新規に購入したSONGKEY１の音楽コンテンツのダウンロード処理が終了した。ユーザーは、これ以降、SONGKEY１をSONGKEYプレーヤー１０に毎回読み取らせることなく、ＨＤＤ１９に保存された音楽コンテンツを随時再生して楽しむことができる。
【００２７】
なお、SONGKEY１をSONGKEYプレーヤー１０に読み取らせることによっても、その音楽コンテンツを再生することができる。すなわち、この場合には、前記ステップＳ４４のSONGKEY１から読み取られた曲ＩＤの音楽コンテンツが既にダウンロード済みであるか否かの判定結果がＹＥＳとなるため、ステップＳ５７に進み、そのSONGKEY１に書き込まれているダウンロード先機器ＩＤを読み取る。そして、読み取ったダウンロード先機器ＩＤと自SONGKEYプレーヤー１０の機器ＩＤとが一致していることを確認し（ステップＳ５８）、一致しているときには、その曲ＩＤを読み取ってＨＤＤ１９内をサーチする（ステップＳ５９）。そして、見つかった曲データを再生する（ステップＳ６１）。このようにSONGKEY１の曲データをダウンロードした後に、SONGKEY１をSONGKEYプレーヤー１０に読み取らせることでも、その音楽コンテンツの再生を楽しむことができる。
【００２８】
なお、前記ステップＳ５８で機器ＩＤが一致していないとき、すなわち、異なる機器に用いられたSONGKEYであるときは、自宅SONGKEYプレーヤーストリーム再生シーケンス（図７）に進む。該ストリーム再生シーケンスの詳細については後述するが、これにより、友人などから借りたSONGKEYを用いてその曲のストリーミング再生を行うことができる。ただし、曲のダウンロードはすることができない。
また、前記ＨＤＤ１９内に曲データが保存されていなかったとき（前記ステップＳ６０がＮＯ）には、後述するハードディスク再ダウンロードシーケンス（図６）に進む。
【００２９】
次に、ハードディスク再ダウンロードシーケンスについて説明する。音楽コンテンツをＨＤＤ１９にダウンロードした後に、何らかのトラブルでＨＤＤ１９から曲データを読み出せなくなり、ダウンロードした音楽コンテンツを楽しむことができなくなることがある。このような場合でも、本発明のSONGKEY１を所有していれば、機器ＩＤを利用することによって不正コピーを防いだ上で曲管理サーバー３０から再度曲データをダウンロードすることができる。
【００３０】
図６は、ハードディスク再ダウンロードシーケンスを示すフローチャートである。
ＨＤＤ１９が故障するなどして格納されているデータを読み出せなくなると、ユーザーはハードディスクの入れ替えを行う（ステップＳ８１）。すなわち、SONGKEYプレーヤー１０に新しいハードディスク１９を挿入して電源を投入し（ステップＳ８２）、ＨＤＤの初期化（フォーマット）を行う（ステップＳ８３）。この初期化時に、機器ＩＤ（SONGKEYプレーヤー１０のシリアル番号）がＨＤＤ１９に書き込まれる（ステップＳ８４）。このように、初期化時にＨＤＤ１９に機器ＩＤを書き込むことで、このＨＤＤを他のSONGKEYプレーヤーに接続しても、機器ＩＤをチェックすることにより、そのＨＤＤに格納されている音楽コンテンツを再生しないようにすることができ、不正利用を防止することができる。
【００３１】
このように新しいＨＤＤ１９を接続して初期化した後、以前購入したSONGKEY１をSONGKEYプレーヤー１０に近付け、その記憶内容を読み取らせる。これにより、SONGKEY読み取りシーケンス（図５のステップＳ４１）に移行する（ステップＳ８５）。
この場合には、SONGKEY１にダウンロード済みフラグが書き込まれているので、ステップＳ４２、Ｓ４３、Ｓ４４の判定結果がＹＥＳ、Ｓ５７、Ｓ５８がＹＥＳ、Ｓ５９と進むが、ＨＤＤ１９内に当該曲データが保存されていないので、ステップＳ６０の判定結果がＮＯとなり、図６のステップＳ９１に進み、再度曲管理サーバー３０にアクセスしてその曲データをダウンロードしようと試みる。
すなわち、そのSONGKEY１から曲ＩＤと曲管理サーバーのＵＲＬを読み取り（ステップＳ９１，Ｓ９２）、曲管理サーバー３０にアクセスを開始する（ステップＳ９３）。そして、前述と同様に、相互に認証を行って互いの正当性を確認した上で（ステップＳ９４及び曲管理サーバーのステップＳ１０１（図５のステップＳ７１と同じ））、SONGKEYプレーヤー１０は曲管理サーバー３０に対し機器ＩＤ、曲ＩＤ及びSONGKEY１の商品シリアル番号を送信する（ステップＳ９５）。
【００３２】
曲管理サーバー３０では、送られてきた情報に基づいてデータベースを参照し、その商品シリアル番号のSONGKEY１に対するダウンロードが初めてであるか否かを判定する（ステップＳ１０２（図５のステップＳ７２と同じ））。ここで、初回ダウンロードであると判定したときは、ステップＳ１０５に進む。この場合は、以前にダウンロードされたことがあるため、判定結果はＮＯとなる。そこで、曲管理サーバー３０中に保存している過去のダウンロード記録を検索し（ステップＳ１０３）、送られてきた機器ＩＤとSONGKEYのシリアル番号が前記データベースに記憶されているSONGKEY１の商品シリアル番号及び機器ＩＤと一致するか否かを確認する（ステップＳ１０４）。この結果、一致している場合は、全く同じ機器においてＨＤＤ１９が故障したか、あるいは、バックアップ目的のダウンロードであると判定して、曲のダウンロードシーケンスを開始させる。すなわち、SONGKEYプレーヤー１０からの曲データダウンロードリクエスト（ステップＳ９６）に応答して、暗号解読キーを送信し（ステップＳ１０５）、続いて、当該曲データを送信する（ステップＳ１０６）。そして、送信が完了したら（ステップＳ１０７）、今回の処理は終了する。
SONGKEYプレーヤー１０では、送られてきた暗号解読キーを用いて送られてきた曲データの暗号化を解除し（ステップＳ９７）、その曲データを入れ換えたＨＤＤ１９に保存する（ステップＳ９８）。
なお、前記ステップＳ１０３において、送られてきたSONGKEYの商品シリアル番号及び機器ＩＤとデータベースに記憶されている商品シリアル番号及び機器ＩＤとが一致しないときは、曲管理サーバー３０側に保存したデータに異常があるものとして、サポート窓口に電話をかけることを促すメッセージをSONGKEYプレーヤー１０の表示部１４に表示させるようにする（ステップＳ１０８）。
【００３３】
このように、本発明によれば、SONGKEY１を保管してさえいれば、たとえSONGKEYプレーヤー１０のＨＤＤ１９が故障したとしても、入れ換えたＨＤＤに音楽コンテンツを再度ダウンロードして復活させることができる。
【００３４】
次に、自宅SONGKEYプレーヤーストリーム再生シーケンスについて説明する。
前述のように、SONGKEY１を自宅SONGKEYプレーヤー１０に読み取らせたときに（図５のステップＳ４１）、そのSONGKEY１に「支払い済みフラグ」と「ダウンロード済みフラグ」がセットされており、SONGKEY１に記録されている「機器ＩＤ」とそのSONGKEYプレーヤー１０の機器ＩＤが一致していないとき（ステップＳ５８がＮＯ）は、この自宅SONGKEYプレーヤーストリーム再生シーケンスが実行される。このような状態は、例えば、友人から借りたSONGKEY１を自宅のSONGKEYプレーヤー１０に読み取らせたときなどに対応する。
【００３５】
前記図５におけるステップＳ５８の判定結果がＮＯであるときは図７に進み、まず、そのSONGKEY１の無線ＩＤタグ２の書き換え禁止エリア３に記憶されている「試聴回数制限フラグ」を読み取る（ステップＳ１１１）。その結果、試聴回数制限フラグがセットされており、試聴回数に制限が設けられているときは（ステップＳ１１２がＹＥＳ）、そのSONGKEY１の無線ＩＤタグ２の書き換え可能エリア４に記録されている「残り試聴回数」を読み取って、その値が０であるか否かを判定する（ステップＳ１１３）。残り試聴回数が０となっていたときは、その曲を試聴することができないので、取り扱い不可の表示を行って処理を終了する（ステップＳ１１４）。
試聴回数制限フラグがセットされておらず試聴回数に制限が設けられていないとき（ステップＳ１１２がＮＯ）、又は、残り試聴回数が０でないとき（ステップＳ１１３がＮＯ）は、該SONGKEY１に記憶されている曲ＩＤと曲管理サーバー３０のＵＲＬを読み取り（ステップＳ１１５，Ｓ１１６）、曲管理サーバー３０へのアクセスを開始する（ステップＳ１１７）。
【００３６】
そして、前述と同様に、曲管理サーバー３０との間で相互認証を行い、互いの正当性を確認する（ステップＳ１１８及び曲管理サーバー３０のステップＳ１３１）。
相互認証が終了すると、SONGKEYプレーヤー１０は、そのSONGKEY１の曲ＩＤとその曲の曲データのストリーム配信要求を曲管理サーバー３０に送信する（ステップＳ１１９，S１２０）。
これを受けて、曲管理サーバー３０は、そのSONGKEYプレーヤー１０に対して暗号解読キーを送信し（ステップＳ１３２）、続けてリクエストされた曲データをストリーミング配信する（ステップＳ１３３）。
SONGKEYプレーヤー１０は、前記暗号解読キーを用いてストリーミング配信された曲データの暗号化を解除し（ステップＳ１２１）、前記オーディオデータ生成部２０、Ｄ／Ａ変換器２１、オーディオ信号出力部２２を用いてその曲を再生する（ステップＳ１２２）。そして、曲の再生を開始してから予め設定されている所定の時間（例えば、３分間）経過したときに（ステップＳ１２３）、前記無線ＩＤライター１６を用いて前記SONGKEY１の無線ＩＤタグ１の書き換え可能エリア４における「残り試聴回数」の値を１だけ減少させた値に書き換える（ステップＳ１２４）。このように、あらかじめ設定した所定時間よりも短い時間の再生は、１回の試聴であると判定しないようにしている。
以上のように、友人から借りたSONGKEYのように機器ＩＤが一致していないときであっても、その試聴回数が制限回数に達していないときには、その曲のストリーミング配信を受けてその曲を再生することができる。ただし、その曲のダウンロードはすることができない。
【００３７】
次に、SONGKEY１と前記ポータブルSONGKEYプレーヤー４０を用いた音楽コンテンツの再生について説明する。前述のように、ポータブルSONGKEYプレーヤー４０にはＨＤＤ１９は備えられていないが、無線ＬＡＮ機能が備えられているので、例えば、ホットスポットなどの無線ＬＡＮサービスが提供されているコーヒーショップなどで、曲管理サーバー３０からSONGKEY１の曲データのストリーミング配信を受けてその再生を楽しむことができる。
【００３８】
図８は、前記SONGKEY１と前記ポータブルSONGKEYプレーヤー４０を用いたコンテンツの再生シーケンスを示すフローチャートである。
ユーザーがポータブルSONGKEYプレーヤー４０を用いてSONGKEY１に記憶されているデータの読み取りシーケンスを開始させると（ステップＳ１４１）、支払い済みフラグが読み取られ（ステップＳ１４２）、支払い済みでないときは（ステップＳ１４３がＮＯ）、ポータブルSONGKEYプレーヤー４０の表示部４４に取り扱い不可の表示が行われて処理が終了する。
一方、支払い済みであるときは、SONGKEY１の無線ＩＤタグ２の書き換え禁止エリア３に記憶されている「試聴回数制限フラグ」が読み取られる（ステップＳ１４５）。その結果、試聴回数制限フラグがセットされており、試聴回数に制限が設けられているときは（ステップＳ１４６がＹＥＳ）、SONGKEY１の無線ＩＤタグ２の書き換え可能エリア４に記憶されている「残り試聴回数」のデータを読み取り、残り試聴回数が０となっているか否かを判定する（ステップＳ１４７）。残り試聴回数が０となっていたときは、試聴することができないので、取り扱い不可の表示を行って処理を終了する。
残り試聴回数が０でないとき（ステップＳ１４７がＮＯ）、又は、前記試聴回数制限フラグがセットされておらず試聴回数に制限が設けられていないとき（ステップＳ１４６がＮＯ）は、そのSONGKEY１に記憶されている曲ＩＤとその曲管理サーバー３０のＵＲＬを読み取る（ステップＳ１４８，Ｓ１４９）。そして、曲管理サーバー３０へのアクセスを開始する（ステップＳ１５０）。
【００３９】
そして、前述と同様に、曲管理サーバー３０との間で相互認証を行い、互いの正当性を確認すると（ステップＳ１５１及び曲管理サーバー３０のステップＳ１６１）、ポータブルSONGKEYプレーヤー４０は、曲ＩＤとその曲の曲データのストリーミング配信要求を曲管理サーバー３０に送信し（ステップＳ１５２，Ｓ１５３）、曲管理サーバー３０は、ポータブルSONGKEYプレーヤー４０に対して暗号解読キーを送信し、その曲データをストリーミング配信する（ステップＳ１６２，Ｓ１６３）。
ポータブルSONGKEYプレーヤー４０は、ストリーミング配信された曲の暗号化を解除し（ステップＳ１５４）、前記オーディオデータ生成部４９及びＤ／Ａ変換器５０を介して、オーディオ信号出力部５１から出力する（ステップＳ１５５）。そして、曲の再生を開始してから所定の時間（例えば、３分間）経過したときに（ステップＳ１５６）、前記SONGKEY１の無線ＩＤタグ２の書き換え可能エリア４における「残り試聴回数」の値を１だけ減少させた値に変更して書き込む（ステップＳ１５７）。
【００４０】
このシーケンスにおいては、ポータブルSONGKEYプレーヤー４０の機器ＩＤのチェックを行っていないので、ユーザーの友人もポータブルSONGKEYプレーヤー４０を所有している場合には、その友人のポータブルSONGKEYプレーヤーにユーザーの所有しているSONGKEY１を読み取らせることで、（試聴回数が許す範囲内で）友人もその曲を聴くことができる。また、SONGKEY１を友人に貸したときは、友人はポータブルSONGKEYプレーヤー４０又は前述のように自宅SONGKEYプレーヤー１０を用いて自宅でその曲をストリーミング再生することができるが、曲をダウンロードすることはできない。
【００４１】
なお、上記ポータブルSONGKEYプレーヤー４０は、無線ＩＤタグライター４６を内蔵しており、前記残り試聴回数をデクリメントして書き込むようにしていたが、無線ＩＤタグライター４６を設けず、試聴回数制限フラグがセットされておらずに試聴回数の制限がないコンテンツについてのみ曲データのストリーミング配信を受けるようにしてもよい。
また、小型のＨＤＤが内蔵されているポータブルSONGKEYプレーヤーの場合には、前記自宅SONGKEYプレーヤー１０と同様に、曲データをＨＤＤにダウンロードして再生するようにしてもよい。
【００４２】
さて、上述のように、本発明のSONGKEY１は無線ＩＤタグ２を内蔵しているものであれば、どのような形状のものであってもよい。
そこで、お菓子につけられるおまけのフィギュアなどに前記無線ＩＤタグ２を埋め込んでSONGKEY１とすることもできる。
この実施の形態においては、おまけがついたお菓子を購入したユーザーが自宅に帰り、おまけのフィギュアを前記SONGKEYプレーヤー１０に近付けると、前述と同様に、SONGKEYプレーヤー１０がSONGKEY１であるフィギュア内の無線ＩＤタグ２を読み取り、前記曲管理サーバー３０にアクセスする。ここで、前記曲管理サーバー３０は、そのお菓子メーカーの契約歌手の歌をそのSONGKEYプレーヤー１０にストリーミング再生させるようにしてもよいし、あるいは、お菓子の商品シリアル番号を用いて抽選を行い、当たりが出たら、曲データをプレゼントとしてダウンロードさせるようにすることもできる。
このように、本発明のSONGKEY１はその形状が限られないので、さまざまの形態で利用することができる。
【００４３】
なお、以上の説明においては、曲データという音楽コンテンツの販売の場合を例に取って説明したが、これに限られることはなく、動画や静止画などの映像コンテンツの場合にも同様に適用することができる。
【図面の簡単な説明】
【００４４】
【図１】本発明のコンテンツ再生管理データを記憶した記憶媒体、コンテンツ再生装置及びサーバー装置からなるコンテンツ再生システムの一実施の形態である曲再生システムの構成例を示す機能ブロック図である。
【図２】ポータブルプレーヤーを有する曲再生システムの構成例を示す機能ブロック図である。
【図３】記憶媒体に記憶されている情報を示す図である。
【図４】本発明の記憶媒体を購入するときのシーケンスを説明するための図であり、（ａ）は試聴を行うときのシーケンス、（ｂ）は購入時にレジにて行われる処理のシーケンスを示す図である。
【図５】本発明の記憶媒体を用いて購入したコンテンツを再生するときのシーケンスを示す図である。
【図６】ハードディスクにコンテンツを再ダウンロードするときのシーケンスを示す図である。
【図７】コンテンツをストリーミング再生するときのシーケンスを示す図である。
【図８】ポータブルプレーヤーを用いてコンテンツを再生するときのシーケンスを示す図である。
【符号の説明】
【００４５】
１：記憶媒体（SONGKEY）、２：無線ＩＤタグ、３：書き換え禁止エリア、４：書き換え可能エリア、１０：（自宅）SONGKEYプレーヤー、１１：中央制御部、１２：メモリ、１３：キー入力部、１４：表示部、１５：無線ＩＤタグリーダー、１６：無線ＩＤタグライター、１７：暗号化・復号処理部、１８：ネットワーク通信部、１９：ハードディスク装置、２０：オーディオデータ生成部、２１：Ｄ／Ａ変換器、２２：オーディオ信号出力部、３０：曲管理サーバー、４０：ポータブルSONGKEYプレーヤー、４１：中央制御部、４２：メモリ、４３：表示部、４４：キー入力部、４５：無線ＩＤタグリーダー、４６：無線ＩＤタグライター、４７：暗号化・復号処理部、４８：無線ＬＡＮ通信部、４９：オーディオデータ生成部、５０：Ｄ／Ａ変換器、５１：オーディオ信号出力部、５２：無線アクセスポイント
【図１】
2005242744.tif 000003
【図２】
2005242744.tif 000004
【図３】
2005242744.tif 000005
【図４】
2005242744.tif 000006
【図５】
2005242744.tif 000007
【図６】
2005242744.tif 000008
【図７】
2005242744.tif 000009
【図８】
2005242744.tif 000010